(57)【要約】
【課題】　　表示する価格を迅速かつ容易に変更することができる商品価格表示具を提供する。
【解決手段】商品の価格を表示する商品価格表示具であって、該価格を液晶表示により表示する価格表示手段と、該価格に関する価格情報を受け付けるための価格受付手段と、該価格受付手段により受け付けられた該価格情報に従って該価格表示手段に該価格を表示させる管理手段と、を備えてなる、商品価格表示具。前記商品価格表示具が、正面と背面とを有する箱状又は板状を略形成しており、前記価格表示手段が該正面に配設されると共に、前記価格受付手段が該背面に配設されるものであってもよい。
【選択図】　図１
0003099908.tif 000002
【実用新案登録請求の範囲】
【請求項１】
　　　　商品の価格を表示する商品価格表示具であって、
　　　　該価格を液晶表示により表示する価格表示手段と、
　　　　該価格に関する価格情報を受け付けるための価格受付手段と、
　　　　該価格受付手段により受け付けられた該価格情報に従って該価格表示手段に該価格を表示させる管理手段と、
を備えてなる、商品価格表示具。
【請求項２】
　　　　前記商品価格表示具が、正面と背面とを有する箱状又は板状を略形成しており、
　　　　前記価格表示手段が該正面に配設されると共に、前記価格受付手段が該背面に配設されるものである、請求項１に記載の商品価格表示具。
【請求項３】
　　　　前記商品価格表示具を支持物に取り付ける取付手段を、さらに備えてなる、請求項１又は２に記載の商品価格表示具。
【請求項４】
　　　　少なくとも前記価格表示手段に電力を供給する太陽電池を、さらに備えてなる、請求項１乃至３のいずれかに記載の商品価格表示具。
【請求項５】
　　　　前記商品に関する情報が示されたカードを、前記価格表示手段に隣接する位置に保持するカード保持手段を、さらに備えてなる、請求項１乃至４のいずれかに記載の商品価格表示具。
【請求項６】
　　　　前記価格表示手段により表示される前記価格に対応する前記商品の数量を示す数量情報を示し、前記価格表示手段に隣接する位置に設けられる数量表示手段を、さらに備えてなる、請求項１乃至５のいずれかに記載の商品価格表示具。
【請求項７】
　　　　前記数量情報の少なくとも一部を液晶表示によって表示する数量情報液晶表示手段を、前記数量表示手段が有してなり、
　　　　前記数量情報の該少なくとも一部に関する情報である表示数量情報を受け付ける表示数量情報受付手段を、さらに備えてなり、
　　　　前記管理手段が、該表示数量情報受付手段により受け付けられた該表示数量情報に従って該数量情報液晶表示手段に前記数量情報の該少なくとも一部を表示させるものである、請求項６に記載の商品価格表示具。
【請求項８】
　　　　前記数量情報が、数字部分と単位部分とによって構成され、
　　　　前記数量情報の前記少なくとも一部が該数字部分であり、
　　　　前記表示数量情報受付手段が、少なくとも２以上の異なる数字を含んでなる数字群の中から該当するものの選択を前記表示数量情報として受け付けるものである、請求項７に記載の商品価格表示具。
【請求項９】
　　　　前記数量情報が、数字部分と単位部分とによって構成され、
　　　　前記数量情報の前記少なくとも一部が該単位部分であり、
　　　　前記表示数量情報受付手段が、少なくとも２以上の単位を含んでなる単位群の中から該当するものの選択を前記表示数量情報として受け付けるものである、請求項７に記載の商品価格表示具。
【請求項１０】
　　　　前記数量情報が、数字部分と単位部分とによって構成され、
　　　　前記数量情報の前記少なくとも一部が該数字部分と該単位部分とであり、
　　　　前記表示数量情報受付手段が、少なくとも２以上の異なる数字を含んでなる数字群の中から該当するものの選択と、少なくとも２以上の単位を含んでなる単位群の中から該当するものの選択と、を前記表示数量情報として受け付けるものである、請求項７に記載の商品価格表示具。
【請求項１１】
　　　　前記単位群が、ネット、パック、本、束、個、袋、ｇ、ｋｇ及び１００ｇから選択された少なくとも１を含むものである、請求項９又は１０に記載の商品価格表示具。
【請求項１２】
　　　　前記価格受付手段が、前記価格を構成する各桁の数字それぞれを変更する別個のボタンを有し、
　　　　該ボタンの押下中は、該押下されているボタンに該当する前記価格を構成する数字が所定の規則性に従って変更され、該ボタンの押下を止めると、押下中止の直前の数字の表示が保持されるよう、前記管理手段が前記価格表示手段に表示させるものである、請求項１乃至１１のいずれかに記載の商品価格表示具。
【考案の詳細な説明】
【技術分野】
【０００１】
　本考案は、商品の価格を表示する商品価格表示具に関し、より詳細には、表示を簡単かつ迅速に変更することができる商品価格表示具に関する。
【背景技術】
【０００２】
　スーパーマーケット、デパート、個人商店等のような商品を販売する店舗において、商品の価格をわかりやすく表示することは重要なことである。即ち、商品を購入する顧客は、商品を購入するかどうか決断する際、価格は大きな要素であるからである。
　このため店舗において商品の価格を表示する方法は、様々に工夫されてきた。例えば、商品を陳列する棚の正面（顧客に面する面）に価格を見やすく記載した紙を貼着することや、商品自体に価格札を取り付けたりすることや、商品の近傍に設置し該商品の価格を表示する商品価格表示具を用いること等も行われてきた（例えば、特許文献１参照。）。
【特許文献１】登録実用新案第３００２０６６号
【考案の開示】
【考案が解決しようとする課題】
【０００３】
　しかしながら、このように従来から知られている商品価格表示具は、商品の価格を見やすく表示することができるものの、表示する価格を変更する作業に手間がかかるという問題を有していた。
　特に、商取引の状況が短時間に大きく変化する今日では、商品の種類や価格の変化に応じて商品価格表示具が表示する価格の変更は迅速かつ容易になされる必要がある。
　そこで、本考案では、表示する価格を迅速かつ容易に変更することができる商品価格表示具を提供することを目的とする。
【課題を解決するための手段】
【０００４】
　本考案の商品価格表示具（以下、「本表示具」という。）は、商品の価格を表示する商品価格表示具であって、該価格を液晶表示により表示する価格表示手段と、該価格に関する価格情報を受け付けるための価格受付手段と、該価格受付手段により受け付けられた該価格情報に従って該価格表示手段に該価格を表示させる管理手段と、を備えてなる、商品価格表示具である。
　こうすることで価格受付手段が、商品の価格に関する価格情報を受け付ける。そして、管理手段が、価格受付手段により受け付けられた価格情報に従って価格表示手段に液晶表示によって価格を表示させる。この価格情報の受付から価格表示までが電子的に行われて本表示具は商品の価格を表示するので、本表示具の使用者は、価格情報を本表示具に与えるだけで、表示する価格を迅速かつ容易に変更することができる。
　なお、ここにいう「価格情報」とは、本表示具の使用者が、管理手段をして価格表示手段に所望の価格を表示させることができればいかなるものであってもよい。
【０００５】
　前記商品価格表示具（本表示具）が、正面と背面とを有する箱状又は板状を略形成しており、前記価格表示手段が該正面に配設されると共に、前記価格受付手段が該背面に配設されるものであってもよい。
　こうすることで顧客に面する正面に価格表示手段が位置するように本表示具を配置した際（顧客が、価格表示手段が表示した価格をよく見ることができる。）、価格受付手段は、該正面の反対側の背面に配設されるので、顧客が価格受付手段をいたずらして、表示される価格を不意に変更することを防止することができる。
【０００６】
　前記商品価格表示具（本表示具）を支持物に取り付ける取付手段を、さらに備えてなるものであってもよい。
　本表示具は、商品の近傍に配置されることが好ましく、例えば、支持物（商品を展示する棚、商品自身、テーブル、机、一端が支持された棒材等）に取り付けられるように取付手段を備えるようにしてもよい。取付手段は、本表示具を支持物に確実に取り付けることができるものであればいかなるものであってもよく何ら制限されるものではないが、例えば、支持物を挟持するもの（例えば、フック）、支持物の一部を嵌入するもの、支持物に一部が嵌入されるもの、ネジ止めによるもの、等を挙げることができる。
【０００７】
　少なくとも前記価格表示手段に電力を供給する太陽電池を、さらに備えてなるものであってもよい。
　本表示具は、様々な場所に移動されて使用されることが多いこと（もし、電気コード等の接続が必要であれば、移動が煩雑になる。）や、保守点検等を省くことから、太陽電池によって供給される電力により、少なくとも価格表示手段が動作されるものであってもよい。価格表示手段は液晶表示を用いており、液晶表示が要する電力が僅かであることから、小型の太陽電池によって無理なく動作させることができる。無論、価格表示手段のみならず管理手段等も、太陽電池によって供給される電力によって動作されてよいことは言うまでもない。
【０００８】
　前記商品に関する情報が示されたカードを、前記価格表示手段に隣接する位置に保持するカード保持手段を、さらに備えてなるものであってもよい。
　顧客が知りたいと思う商品に関する情報は、価格のみならず様々なものがある。例えば、商品名称、商品の効果、商品の製造者、商品の生産地、商品の使用方法、商品の規格等を、商品に関する情報として例示的に挙げることができる。これら商品に関する情報は、商品の種類等によって多岐にわたるものであり、それぞれの商品に応じて適宜示されるべきものである。そこで、このような商品に関する情報が示されたカードを保持するカード保持手段を、本支持具が有してもよい。なお、カード保持手段がカードを保持する「価格表示手段に隣接する位置」とは、価格表示手段を見ている顧客が、同時に該カードを見ることができる位置をいう。また、ここにいう「カード」とは、膜状、シート状、板状のもの（材質を問わない）をいい、薄紙、厚紙、プラスチックシート、ゴムシート、ガラス板、金属板、材木製の板等のようなものを例示することができる。
【０００９】
　前記価格表示手段により表示される前記価格に対応する前記商品の数量を示す数量情報を示し、前記価格表示手段に隣接する位置に設けられる数量表示手段を、さらに備えてなるもの（以下、「数量表示本表示具」という。）であってもよい。
　顧客は、価格のみならず、価格に対応する商品の数量を知りたいと思うことが多い（どのくらいの量でどの程度の値段か、ということが商品の購入を決断する際の大きな判断材料になることが多い。）。このため価格表示手段により表示される価格に対応する商品の数量を示す数量情報を示す数量表示手段を備えるようにしてもよい。なお、数量表示手段が備えられる「価格表示手段に隣接する位置」とは、価格表示手段を見ている顧客が、同時に数量表示手段を見ることができる位置をいう。
【００１０】
　数量表示本表示具の場合、前記数量情報の少なくとも一部を液晶表示によって表示する数量情報液晶表示手段を、前記数量表示手段が有してなり、前記数量情報の該少なくとも一部に関する情報である表示数量情報を受け付ける表示数量情報受付手段を、さらに備えてなり、前記管理手段が、該表示数量情報受付手段により受け付けられた該表示数量情報に従って該数量情報液晶表示手段に前記数量情報の該少なくとも一部を表示させるもの（以下、「液晶数量表示本表示具」という。）であってもよい。
　こうすることで、表示数量情報受付手段が、数量情報の該少なくとも一部に関する情報である表示数量情報（本表示具の使用者が、管理手段をして数量情報液晶表示手段に数量情報の該少なくとも一部を表示させることができればいかなるものであってもよい。）を受け付ける。そして、管理手段が、表示数量情報受付手段により受け付けられた表示数量情報に従って、数量表示手段が有する数量情報液晶表示手段に数量情報の該少なくとも一部を液晶表示により表示させる。このため数量情報が変更されるものであれば、変更される部分を上記の「数量情報の該少なくとも一部」として液晶表示させることにより、数量表示手段により示される数量情報の表示の変更を迅速かつ容易に行うことができる。
【００１１】
　液晶数量表示本表示具の場合、前記数量情報が、数字部分と単位部分とによって構成され、前記数量情報の前記少なくとも一部が該数字部分であり、前記表示数量情報受付手段が、少なくとも２以上の異なる数字を含んでなる数字群の中から該当するものの選択を前記表示数量情報として受け付けるものであってもよい。
　商品の数量を示す数量情報は、数字部分と単位部分とによって構成されることが多い（例えば、数量情報が「１個」であれば「１」が数字部分であり「個」が単位部分である。）。そして、数字部分が変更される場合であれば、数字部分を上述した「数量情報の前記少なくとも一部」とすれば、数字部分が変更された際にその表示の変更を迅速かつ容易に行うことができる。そして、数字部分が変更される場合にも、幾つかの定まった数字の中から選択されることが多いので、数字部分になりうる数字を含んだ数字群を形成しておき、該数字群の中から所望のものを選択して表示する（表示数量情報受付手段が、少なくとも２以上の異なる数字を含んでなる数字群の中から該当するものの選択を前記表示数量情報として受け付ける。）ようにしてもよい。こうすることで数字部分が変更された際にその表示の変更をより迅速かつ容易に行うことができる。
【００１２】
　液晶数量表示本表示具の場合、前記数量情報が、数字部分と単位部分とによって構成され、前記数量情報の前記少なくとも一部が該単位部分であり、前記表示数量情報受付手段が、少なくとも２以上の単位を含んでなる単位群の中から該当するものの選択を前記表示数量情報として受け付けるもの（以下、「第１単位群所有本表示具」という。）であってもよい。
　前述の通り、商品の数量を示す数量情報は、数字部分と単位部分とによって構成されることが多い。そして、単位部分が変更される場合であれば、単位部分を上述した「数量情報の前記少なくとも一部」とすれば、単位部分が変更された際にその表示の変更を迅速かつ容易に行うことができる。そして、単位部分が変更される場合にも、幾つかの定まった単位の中から選択されることが多いので、単位部分になりうる単位を含んだ単位群を形成しておき、該単位群の中から所望のものを選択して表示する（表示数量情報受付手段が、少なくとも２以上の単位を含んでなる単位群の中から該当するものの選択を前記表示数量情報として受け付ける。）ようにしてもよい。こうすることで単位部分が変更された際にその表示の変更をより迅速かつ容易に行うことができる。
【００１３】
　液晶数量表示本表示具の場合、前記数量情報が、数字部分と単位部分とによって構成され、前記数量情報の前記少なくとも一部が該数字部分と該単位部分とであり、前記表示数量情報受付手段が、少なくとも２以上の異なる数字を含んでなる数字群の中から該当するものの選択と、少なくとも２以上の単位を含んでなる単位群の中から該当するものの選択と、を前記表示数量情報として受け付けるもの（以下、「第２単位群所有本表示具」という。）であってもよい。
　前述の通り、商品の数量を示す数量情報は、数字部分と単位部分とによって構成されることが多い。そして、数字部分と単位部分との両方が変更される場合であれば、数字部分と単位部分とを上述した「数量情報の前記少なくとも一部」とすれば、数字部分と単位部分とのいずれが変更された際にもその表示の変更を迅速かつ容易に行うことができる。そして、数字部分と単位部分とが変更される場合にも、幾つかの定まった数字の中と幾つかの定まった単位の中から選択されることが多いので、数字部分になりうる数字を含んだ数字群と単位部分になりうる単位を含んだ単位群とを形成しておき、該数字群の中から所望のものを選択して表示すると共に該単位群の中から所望のものを選択して表示する（表示数量情報受付手段が、少なくとも２以上の異なる数字を含んでなる数字群の中から該当するものの選択と、少なくとも２以上の単位を含んでなる単位群の中から該当するものの選択と、を前記表示数量情報として受け付ける。）ようにしてもよい。こうすることで数字部分と単位部分とのいずれが変更された際にも、それらの表示の変更をより迅速かつ容易に行うことができる。
【００１４】
　第１単位群所有本表示具又は第２単位群所有本表示具の場合、前記単位群が、ネット、パック、本、束、個、袋、ｇ、ｋｇ及び１００ｇから選択された少なくとも１を含むものであってもよい。
　これらネット、パック、本、束、個、袋、ｇ、ｋｇ及び１００ｇの単位は、商品の数量を示す数量情報に多用されており、これらの単位のいずれかを単位群が含むことにより、第１単位群所有本表示具又は第２単位群所有本表示具を便利（適用範囲が広い）に使用することができる。
【００１５】
　前記価格受付手段が、前記価格を構成する各桁の数字それぞれを変更する別個のボタンを有し、該ボタンの押下中は、該押下されているボタンに該当する前記価格を構成する数字が所定の規則性に従って変更され、該ボタンの押下を止めると、押下中止の直前の数字の表示が保持されるよう、前記管理手段が前記価格表示手段に表示させるものであってもよい。
　こうすることで通常複数桁によって表示される価格のうち、一部の桁の数字のみを変更する必要が生じた場合（例えば、「２９００」から「２９５０」へ変更する場合等）、変更する必要のある桁の数字（「２９００」から「２９５０」への変更の例では、十の桁の数字）のみを変更することができる（変更する桁に対応するボタンを押下して数字を変更すればよい。）ので、変更をより迅速かつ容易に行うことができる。そして、数字変更のボタンの押下中は、該押下されているボタンに該当する前記価格を構成する数字が所定の規則性に従って変更され、該ボタンの押下を止めると、押下中止の直前の数字の表示が保持されるようにすることで、それぞれの桁に対してボタンを少なくとも１個設ければ価格受付手段を構成することができるので価格受付手段の構成を簡単にすることができる。
　なお、「所定の規則性」とは、変更される次の数字が予測できることをいい、例えば、数字の順番（例えば、０、１、２、３、・・・・８、９、０、１、２・・・というふうに昇順になるように変更されたり、逆に、９、８、７、・・・・３、２、１、０、９、８、・・・というふうに降順になるように変更されることを例示できる。）に変更されてもよい。
【考案を実施するための最良の形態】
【００１６】
　本考案の実施の形態を図面を参照して詳述するが、本考案はこれに限定されるものではない。
【００１７】
　図１は、一例の本考案の商品価格表示具（本表示具）１１を示す正面側から見た斜視図であり、図２は本表示具１１を示す背面側から見た斜視図であり、図３は図２の矢印Ｂ方向から見たところを示す左側面図であり、図４は図１のＡ−Ａ断面の一部を示す一部断面図であり、図５は後述のカード９１をカード保持部５１に挿入するところを示す斜視図である。図１乃至図５を参照して、本表示具１１について説明する。なお、図中、上を矢印Ｄ１にて、下を矢印Ｄ２にて、それぞれ示した。
【００１８】
　本表示具１１は、商品の棚の前面に取り付けられて該商品の価格等を表示するものであり、大まかに言えば、正面１３ａと背面１３ｂとを有する板状を略なすケース１３と、ケース１３の正面１３ａに埋設されるように設けられた液晶表示装置たる価格表示部２１と、ケース１３の正面１３ａに埋設されるように設けられた液晶表示装置たる数量表示部３１と、ケース１３の上面１３ｃに埋設されるように設けられた電力を供給する太陽電池４１と、ケース１３の背面１３ｂに配設された変更ボタン６１と、ケース１３の背面１３ｂに配設された数量単位変更ボタン６２と、ケース１３の背面１３ｂに配設された数量数字変更ボタン６３と、ケース１３の背面１３ｂに配設された千の位数字変更ボタン６４と、ケース１３の背面１３ｂに配設された百の位数字変更ボタン６５と、ケース１３の背面１３ｂに配設された十の位数字変更ボタン６６と、ケース１３の背面１３ｂに配設された一の位数字変更ボタン６７と、を有している。
【００１９】
　ケース１３は、樹脂材料によって形成されており、正面１３ａと背面１３ｂとを有する板状を略なしている（図示していないが、ケース１３は、正面を含む正面部と、裏面を含む裏面部と、を有してなり、これら正面部と裏面部とはネジ止めされている。）。
　ケース１３の正面１３ａには、商品（図示せず）に関する情報（ここでは商品の名称たる「ねぎ」が示されている。）が示されたカード９１（図５参照）が嵌入されるカード保持部５１が形成されており、ケース１３の右側面に形成されたカード挿入隙間１３ｆ（図１及び図５参照）を通じてカード９１をカード保持部５１に嵌入したり、カード保持部５１に嵌入されたカード９１をカード挿入隙間１３ｆを通じて抜き取ることができるようになっている（図５参照）。カード保持部５１は、両主表面が略長方形をしたカード９１が不意に脱落しないように、カード９１が収容される凹部５１ａと、凹部５１ａに収容されたカード９１の上縁９１ａに沿って上縁９１ａに係合する上縁係合爪部５３ａと、凹部５１ａに収容されたカード９１の下縁９１ｂに沿って下縁９１ｂに係合する下縁係合爪部５３ｂと、を有している（図４参照）。
　一方、ケース１３の背面１３ｂには、本表示具１１を支持物たる商品棚（図示せず）に取り付ける取付フック１３ｈが形成されている。取付フック１３ｈは、該商品棚の前面に、長手方向が左右に向けて配設される前面バー１０１（図３参照。該商品棚の一部である。）に係合（嵌入）することで、本表示具１１を支持物たる該商品棚に取り付けるものである。なお、取付フック１３ｈが係合するものは、前面バー１０１に限らないことは言うまでもなく、例えば、該商品棚の前面に形成された舌部等に係合させるようにしてもよい。
【００２０】
　このような本表示具１１は、後で詳述するように、変更ボタン６１を押下している間に数量単位変更ボタン６２又は数量数字変更ボタン６３を押下することで数量表示部３１の表示を変更することができると共に、変更ボタン６１を押下している間に千の位数字変更ボタン６４、百の位数字変更ボタン６５、十の位数字変更ボタン６６及び一の位数字変更ボタン６７のいずれかを押下することで価格表示部２１の表示を変更することができる。
　具体的には、数量単位変更ボタン６２の押下により、数量表示部３１に表示される単位を「ネット」、「パック」、「本」、「束」、「個」、「袋」、「１００ｇ」、「　」（何も表示されない）のいずれにするか選択することができる（数量単位変更ボタン６２の押下中、これらの表示がこの順番にて変更されてゆく。）。そして、数量数字変更ボタン６３の押下により、数量表示部３１に表示される数字を「１」、「１／２」、「１／４」、「　」（何も表示されない）のいずれにするか選択することができる（数量数字変更ボタン６３の押下中、これらの表示がこの順番にて変更されてゆく。）。このため数量表示部３１には、「１」、「１／２」、「１／４」、「　」のいずれかを数字として、「ネット」、「パック」、「本」、「束」、「個」、「袋」、「１００ｇ」、「　」のいずれかを単位として、これら数字と単位とを自由に選択して表示させることができる（例えば、「１袋」や「１／２個」等）。
　さらに、千の位数字変更ボタン６４、百の位数字変更ボタン６５、十の位数字変更ボタン６６及び一の位数字変更ボタン６７の押下により、価格表示部２１に表示される数字のうち押下されているボタンに該当する桁（位）の数字が「０」、「１」、「２」、「３」、・・・・「８」、「９」、「　」（何も表示されない）、「０」、「１」、「２」、「３」、・・と変更されるようになっているので、価格表示部２１に表示される数字を自由に変更することができる。これによって価格表示部２１には様々な価格を表示することができる（ここでは具体的には、０〜９９９９までの任意の数字を価格として表示することができる。）。
【００２１】
　次いで、数量表示部３１及び価格表示部２１の表示の変更について詳しく説明する。
　本表示具１１はコンピュータ１０を内蔵しており、これを制御するプログラムが該コンピュータに内蔵されている。図６に本表示具１１のハードウエア構成を示す概略ブロック図を示す。本表示具１１は、演算処理を行うＣＰＵ１０ａ、ＣＰＵ１０ａの作業領域等となるＲＡＭ１０ｂ、制御プログラム等を記録するＲＯＭ１０ｃ、本表示具１１の他の構成機器との情報のやり取りを行うためのインターフェイス１０ｄを有する。
　そして、インターフェイス１０ｄには、変更ボタン６１、数量単位変更ボタン６２、数量数字変更ボタン６３、千の位数字変更ボタン６４、百の位数字変更ボタン６５、十の位数字変更ボタン６６、一の位数字変更ボタン６７、数量表示部３１及び価格表示部２１が接続され、これらのものとコンピュータ１０との間で自由に信号がやりとりできるようになっている。
　なお、ここではこれらハードウエアの動作には、太陽電池４１によって発電された電力が用いられており、太陽電池４１の電力が不足する際には内蔵の補助電池（ここではボタン型の水銀電池が用いられている。）から電力が供給されるようになっている。
【００２２】
　図７に、図６のハードウエアとＲＯＭ１０ｃに記録されるプログラムにより実現される本表示具１１の管理部８０の機能ブロック図を示す。
　管理部８０は、機能的には、変更命令部８１、数量情報受付部８２、価格情報受付部８３、数量情報出力部８４及び価格情報出力部８５を含んでなる。
　まず、変更命令部８１は、変更ボタン６１が押下されているか否かを判断し、変更ボタン６１が押下されていると判断した場合には数量情報受付部８２及び価格情報受付部８３へ並列的に起動信号を送信する（既に起動信号を送信していれば、そのまま送信を続行する。）。変更命令部８１が、変更ボタン６１が押下されていると判断しない場合には、数量情報受付部８２及び価格情報受付部８３へ起動信号を送信しているか否か判断し、起動信号を送信していれば起動信号の送信を中止する。
【００２３】
　数量情報受付部８２は、変更命令部８１からの起動信号を受信しているか否か判断し、該起動信号を受信していると判断した場合には、数量単位変更ボタン６２又は数量数字変更ボタン６３が押下されているか否か判断する。数量情報受付部８２が、いずれか（両方であってもよい）のボタン６２、６３が押下されていると判断した場合、その押下されているボタン６２、６３に応じた変更信号（即ち、ボタン６２、６３のいずれが押下されているかを数量情報出力部８４が判断できるような変更信号）を数量情報出力部８４へ送信する。かかる変更信号を受信した数量情報出力部８４は、ボタン６２、６３のいずれが押下されているかを判断し、押下されているボタン６２、６３の別に応じて数量表示部３１の表示を変更する。具体的には、数量単位変更ボタン６２が押下されていると判断した場合、数量表示部３１に表示される単位を所定の順番（ここでは具体的には、「ネット」、「パック」、「本」、「束」、「個」、「袋」、「１００ｇ」、「　」（何も表示されない）、「ネット」、「パック」、「本」、・・・・の順番）に従って次の表示に変える（例えば、それまで表示されていた単位が「本」であれば「束」に変える。）。また、数量数字変更ボタン６３が押下されていると判断した場合、数量表示部３１に表示される数字を所定の順番（ここでは具体的には、「１」、「１／２」、「１／４」、「　」（何も表示されない）、「１」、「１／２」、「１／４」、・・・の順番）に従って次の表示に変える（例えば、それまで表示されていた数字が「１」であれば「１／２」に変える。）。ボタン６２、６３の両方が押下されていると判断した場合、数量表示部３１に表示される単位と数字との両方を上記同様に次の表示に変える。
　変更信号を数量情報出力部８４に送信した数量情報受付部８２は、変更命令部８１からの起動信号を受信しているか否かを再び判断し、上記した動作を繰り返す。
【００２４】
　価格情報受付部８３は、変更命令部８１からの起動信号を受信しているか否か判断し、該起動信号を受信していると判断した場合には、千の位数字変更ボタン６４、百の位数字変更ボタン６５、十の位数字変更ボタン６６、一の位数字変更ボタン６７が押下されているか否か判断する。価格情報受付部８３が、いずれか（２以上であってもよい）のボタン６４、６５、６６、６７が押下されていると判断した場合、その押下されているボタン６４、６５、６６、６７に応じた変更信号（即ち、ボタン６４、６５、６６、６７のいずれ（２以上であってもよい）が押下されているかを価格情報出力部８５が判断できるような変更信号）を価格情報出力部８５へ送信する。かかる変更信号を受信した価格情報出力部８５は、ボタン６４、６５、６６、６７のいずれが押下されているかを判断し、押下されているボタン６４、６５、６６、６７の別に応じて価格表示部２１の表示を変更する。具体的には、千の位数字変更ボタン６４が押下されていると判断した場合、数量表示部３１に表示される数字のうち千の位の数字を所定の順番（ここでは具体的には、「０」、「１」、「２」、「３」、・・・・「８」、「９」、「　」（何も表示されない）、「０」、「１」、「２」、「３」、・・の順番）に従って次の表示に変える（例えば、それまで表示されていた数字が「２」であれば「３」に変える。）。また、百の位数字変更ボタン６５が押下されていると判断した場合、数量表示部３１に表示される数字のうち百の位の数字を該所定の順番に従って次の表示に変える。十の位数字変更ボタン６６が押下されていると判断した場合、数量表示部３１に表示される数字のうち十の位の数字を該所定の順番に従って次の表示に変える。一の位数字変更ボタン６７が押下されていると判断した場合、数量表示部３１に表示される数字のうち一の位の数字を該所定の順番に従って次の表示に変える。また、ボタン６４、６５、６６、６７のうち２以上のものが押下されていると判断した場合も、これら押下されているボタンに応じた位の数字を上記同様に次の表示に変える。
　変更信号を価格情報出力部８５に送信した価格情報受付部８３は、変更命令部８１からの起動信号を受信しているか否かを再び判断し、上記した動作を繰り返す。
【００２５】
　続いて、以上の構成を有する管理部８０の動作について説明する。図８に、管理部８０の変更命令部８１の動作を表したフローチャートを示す。
　まず、変更命令部８１は、変更ボタン６１が押下されているか否かを判断し（ｓ２０１）、変更ボタン６１が押下されていると判断した場合（ＹＥＳ）には数量情報受付部８２及び価格情報受付部８３へ並列的に起動信号を送信する（ｓ２０２。既に起動信号を送信していれば、そのまま送信を続行する。）。ｓ２０２の後、再びｓ２０１へ行く。
　ｓ２０１にて変更命令部８１が、変更ボタン６１が押下されていると判断しない場合（ＮＯ）には、数量情報受付部８２及び価格情報受付部８３へ起動信号を送信しているか否か判断し（ｓ２０３）、起動信号を送信していると判断したときには（ＹＥＳ）起動信号の送信を中止する（ｓ２０４）。ｓ２０４の後、再びｓ２０１へ行く。
　ｓ２０３にて起動信号を送信していると判断しない場合（ＮＯ）には、再びｓ２０１へ行く。
【００２６】
　図９に、管理部８０の数量情報受付部８２の動作を表したフローチャートを示す。
　数量情報受付部８２は、変更命令部８１からの起動信号を受信しているか否か判断し（ｓ３０１）、該起動信号を受信していると判断した場合（ＹＥＳ）には、数量単位変更ボタン６２又は数量数字変更ボタン６３が押下されているか否か判断する（ｓ３０２）。ｓ３０１にて該起動信号を受信していると判断しない場合（ＮＯ）には、再びｓ３０１へ行く。
　ｓ３０２において数量情報受付部８２が、いずれか（両方であってもよい）のボタン６２、６３が押下されていると判断した場合（ＹＥＳ）、その押下されているボタン６２、６３に応じた変更信号（即ち、ボタン６２、６３のいずれが押下されているかを数量情報出力部８４が判断できるような変更信号）を数量情報出力部８４へ送信する（ｓ３０３）。ｓ３０３の後、再びｓ３０１へ行く。
　ｓ３０２にて数量単位変更ボタン６２又は数量数字変更ボタン６３のいずれかが押下されていると判断しない場合（ＮＯ。即ち、数量単位変更ボタン６２と数量数字変更ボタン６３とのいずれもが押下されていない場合）には、再びｓ３０１へ行く。なお、数量情報受付部８２自身の動作ではないが、前述したように、ｓ３０３にて数量情報受付部８２から発せられた変更信号を受信した数量情報出力部８４は、ボタン６２、６３のいずれが押下されているかを判断し、押下されているボタン６２、６３の別に応じて数量表示部３１の表示を変更する。
【００２７】
　図１０に、管理部８０の価格情報受付部８３の動作を表したフローチャートを示す。
　価格情報受付部８３は、変更命令部８１からの起動信号を受信しているか否か判断し（ｓ４０１）、該起動信号を受信していると判断した場合（ＹＥＳ）には、千の位数字変更ボタン６４、百の位数字変更ボタン６５、十の位数字変更ボタン６６、一の位数字変更ボタン６７のいずれかが押下されているか否か判断する（ｓ４０２）。ｓ４０１にて該起動信号を受信していると判断しない場合（ＮＯ）には、再びｓ４０１へ行く。
　ｓ４０２において価格情報受付部８３が、いずれか（２以上であってもよい）のボタン６４、６５、６６、６７が押下されていると判断した場合（ＹＥＳ）、その押下されているボタン６４、６５、６６、６７に応じた変更信号（即ち、ボタン６４、６５、６６、６７のいずれ（２以上であってもよい）が押下されているかを価格情報出力部８５が判断できるような変更信号）を価格情報出力部８５へ送信する（ｓ４０３）。ｓ４０３の後、再びｓ４０１へ行く。
　ｓ４０２にて千の位数字変更ボタン６４、百の位数字変更ボタン６５、十の位数字変更ボタン６６、一の位数字変更ボタン６７のいずれかが押下されていると判断しない場合（ＮＯ。即ち、ボタン６４、６５、６６、６７のいずれもが押下されていない場合）には、再びｓ４０１へ行く。なお、価格情報受付部８３の動作ではないが、前述したように、ｓ４０３にて価格情報受付部８３から発せられた変更信号を受信した価格情報出力部８５は、ボタン６４、６５、６６、６７のいずれが押下されているかを判断し、押下されているボタン６４、６５、６６、６７の別に応じて価格表示部２１の表示を変更する。
【００２８】
　以上説明した動作によって、本表示具１１は、変更ボタン６１を押下している間（数量情報受付部８２及び価格情報受付部８３へ変更命令部８１から起動信号が発せられている間）に数量単位変更ボタン６２又は数量数字変更ボタン６３を押下することで（ｓ３０３にて数量情報受付部８２が変更信号を数量情報出力部８４に発し）数量表示部３１の表示を変更することができると共に、変更ボタン６１を押下している間（数量情報受付部８２及び価格情報受付部８３へ変更命令部８１から起動信号が発せられている間）に千の位数字変更ボタン６４、百の位数字変更ボタン６５、十の位数字変更ボタン６６及び一の位数字変更ボタン６７のいずれかを押下することで（ｓ４０３にて価格情報受付部８３が変更信号を価格情報出力部８５へ発し）価格表示部２１の表示を変更することができる。
　なお、ここでは前述のように、ＣＰＵ１０ａを有するコンピュータ１０を用いて管理部８０を構成しているが、これに限定されるものではなく、例えば、電子回路（例えば、集積回路）等のようなハードウエアを用いて管理部８０を構成することもできる。
【００２９】
　以上のように、本表示具１１は、商品の価格を表示する商品価格表示具であって、該価格を液晶表示により表示する価格表示手段たる価格表示部２１と、該価格に関する価格情報（ここでは本表示具１１の使用者が行うボタン６４、６５、６６、６７の押下動作）を受け付けるための価格受付手段（千の位数字変更ボタン６４、百の位数字変更ボタン６５、十の位数字変更ボタン６６及び一の位数字変更ボタン６７により構成される。）と、該価格受付手段（ボタン６４、６５、６６、６７）により受け付けられた該価格情報に従って該価格表示手段たる価格表示部２１に該価格を表示させる管理手段たる管理部８０と、を備えてなる、商品価格表示具である。
　また、本表示具１１は、正面１３ａと背面１３ｂとを有する板状を略形成しており（正面１３ａと背面１３ｂとを有する板状のケース１３を有している。）、価格表示手段たる価格表示部２１が正面１３ａに配設されると共に、価格受付手段たるボタン６４、６５、６６、６７が背面１３ｂに配設されている。
【００３０】
　本表示具１１は、本表示具１１を支持物（ここでは前面バー１０１（図３参照。商品棚の一部である。））に取り付ける取付手段たる取付フック１３ｈを、さらに備えている。
　そして、本表示具１１は、少なくとも価格表示手段たる価格表示部２１に電力を供給する太陽電池を、さらに備えている。
　さらに、前記商品に関する情報が示されたカード９１を、価格表示手段たる価格表示部２１に隣接する位置に保持するカード保持手段たるカード保持部５１を、さらに本表示具１１は備えている。
【００３１】
　価格表示手段たる価格表示部２１により表示される前記価格に対応する前記商品の数量を示す数量情報を示し、価格表示手段たる価格表示部２１に隣接する位置に設けられる数量表示手段たる数量表示部３１を、さらに本表示具１１は備えている。
　そして、前記数量情報の少なくとも一部（ここでは全部）を液晶表示によって表示する数量情報液晶表示手段（数量表示部３１）を、数量表示手段が有してなり（即ち、ここでは数量表示手段の全部が数量情報液晶表示手段をなしている。）、前記数量情報の該少なくとも一部（ここでは全部）に関する情報である表示数量情報（ここでは本表示具１１の使用者が行う数量単位変更ボタン６２及び数量数字変更ボタン６３の押下動作）を受け付ける表示数量情報受付手段（数量単位変更ボタン６２及び数量数字変更ボタン６３により構成される。）を、さらに備えてなり、管理手段たる管理部８０が、表示数量情報受付手段（数量単位変更ボタン６２及び数量数字変更ボタン６３）により受け付けられた該表示数量情報に従って数量情報液晶表示手段（数量表示部３１）に前記数量情報の該少なくとも一部（ここでは全部）を表示させる。
【００３２】
　また、ここでは前記数量情報が、数字部分（例えば、「１」）と単位部分（例えば、「個」）とによって構成され、前記数量情報の前記少なくとも一部が該数字部分と該単位部分とであり、前記表示数量情報受付手段（数量単位変更ボタン６２及び数量数字変更ボタン６３により構成される。）が、少なくとも２以上の異なる数字を含んでなる数字群の中から該当するものの選択（ここでは数量数字変更ボタン６３が受け付ける。）と、少なくとも２以上の単位を含んでなる単位群の中から該当するものの選択（ここでは数量単位変更ボタン６２が受け付ける。）と、を前記表示数量情報として受け付ける。
　さらに、ここでは前記単位群が、「ネット」、「パック」、「本」、「束」、「個」、「袋」、「１００ｇ」を含んでおり、ネット、パック、本、束、個、袋、ｇ、ｋｇ及び１００ｇから選択された少なくとも１を含むものである。
【００３３】
　本表示具１１は、価格受付手段（千の位数字変更ボタン６４、百の位数字変更ボタン６５、十の位数字変更ボタン６６及び一の位数字変更ボタン６７）が、前記価格を構成する各桁の数字それぞれを変更する別個のボタンを有し（千の位数字変更ボタン６４は前記価格を構成する千の位の数字を変更するものであり、百の位数字変更ボタン６５は前記価格を構成する百の位の数字を変更するものであり、十の位数字変更ボタン６６は前記価格を構成する十の位の数字を変更するものであり、一の位数字変更ボタン６７は前記価格を構成する一の位の数字を変更するものである。）、ボタン６４、６５、６６、６７の押下中は、該押下されているボタン６４、６５、６６、６７に該当する前記価格を構成する数字（例えば、ボタン６４が押下されていれば、千の位の数字）が所定の規則性（ここでは具体的には、「０」、「１」、「２」、「３」、・・・・「８」、「９」、「　」（何も表示されない）、「０」、「１」、「２」、「３」、・・の順番）に従って変更され、該ボタン６４、６５、６６、６７の押下を止めると、押下中止の直前の数字の表示が保持されるよう、管理手段たる管理部８０が前記価格表示手段たる価格表示部２１に表示させる。
【図面の簡単な説明】
【００３４】
【図１】一例の本表示具を示す正面側から見た斜視図である。
【図２】本表示具を示す背面側から見た斜視図である。
【図３】図２の矢印Ｂ方向から見たところを示す左側面図である。
【図４】図１のＡ−Ａ断面の一部を示す一部断面図である。
【図５】カードをカード保持部に挿入するところを示す斜視図である。
【図６】本表示具のハードウエア構成を示す概略ブロック図である。
【図７】本表示具の管理部の機能ブロック図である。
【図８】管理部の変更命令部の動作を表したフローチャートである。
【図９】管理部の数量情報受付部の動作を表したフローチャートである。
【図１０】管理部の価格情報受付部の動作を表したフローチャートである。
【符号の説明】
【００３５】
　　　　１０　　　　　コンピュータ
　　　　１０ａ　　　　ＣＰＵ
　　　　１０ｂ　　　　ＲＡＭ
　　　　１０ｃ　　　　ＲＯＭ
　　　　１０ｄ　　　　インターフェイス
　　　　１１　　　　　本表示具
　　　　１３　　　　　ケース
　　　　１３ａ　　　　正面
　　　　１３ｂ　　　　背面
　　　　１３ｃ　　　　上面
　　　　１３ｆ　　　　カード挿入隙間
　　　　１３ｈ　　　　取付フック
　　　　２１　　　　　価格表示部
　　　　３１　　　　　数量表示部
　　　　４１　　　　　太陽電池
　　　　５１　　　　　カード保持部
　　　　５１ａ　　　　凹部
　　　　５３ａ　　　　上縁係合爪部
　　　　５３ｂ　　　　下縁係合爪部
　　　　６１　　　　　変更ボタン
　　　　６２　　　　　数量単位変更ボタン
　　　　６３　　　　　数量数字変更ボタン
　　　　６４　　　　　千の位数字変更ボタン
　　　　６５　　　　　百の位数字変更ボタン
　　　　６６　　　　　十の位数字変更ボタン
　　　　６７　　　　　一の位数字変更ボタン
　　　　８０　　　　　管理部
　　　　８１　　　　　変更命令部
　　　　８２　　　　　数量情報受付部
　　　　８３　　　　　価格情報受付部
　　　　８４　　　　　数量情報出力部
　　　　８５　　　　　価格情報出力部
　　　　９１　　　　　カード
　　　　９１ａ　　　　上縁
　　　　９１ｂ　　　　下縁
　　　１０１　　　　　前面バー
【図１】
0003099908.tif 000003
【図２】
0003099908.tif 000004
【図３】
0003099908.tif 000005
【図４】
0003099908.tif 000006
【図５】
0003099908.tif 000007
【図６】
0003099908.tif 000008
【図７】
0003099908.tif 000009
【図８】
0003099908.tif 000010
【図９】
0003099908.tif 000011
【図１０】
0003099908.tif 000012